(57)【要約】【課題】作業員に無理な体勢を強いることなく、型枠内面の清掃および剥離材の塗布作業を容易に行なうことができ、製造コストを低くすることができるプレキャストコンクリート製床版製造用の型枠装置を提供すること。【解決手段】  継ぎ手鉄筋挿通孔を有すると共に傾斜した下面１２を有する側面板３８を備えたプレキャストコンクリート床版用型枠装置において、側部型枠２６における側面板支承フレーム３９に、縦アーム３０の上部を取付け、縦アーム３０を支持架台２５ａに設けられたブラケット２９に横ピン３７により回動可能に軸支し、縦アーム３０には、横ピン３７から離れる方向に延長されたストッパ部３６が設けられ、横ピン３７を中心として側部型枠２６を回動して脱型した時には、ストッパ部３６を支持架台２５ａに係合させて、側部型枠２６を所定の角度回動した脱型位置に保持し、側部型枠２６における側面板３８の傾斜した下面１２が上面側となるようにした。【選択図】図１
2006240252.tif 000002
【特許請求の範囲】
【請求項１】
間隔をおいて多数の継ぎ手鉄筋挿通孔を有すると共に傾斜した下面（１２）を有する側面板（３８）を備えた側部型枠（２６）を回動可能に構成したプレキャストコンクリート床版用型枠装置において、前記側部型枠（２６）における側面板支承フレーム（３９）に、これに一体に縦アーム（３０）の上部を取付け、前記縦アーム（３０）の下部を支持架台（２５ａ，２５ｂ）に設けられたブラケット（２９）に横ピン（３７）により回動可能に軸支し、かつ前記縦アーム（３０）における下端部には、前記横ピン（３７）から離れる方向に延長されたストッパ部（３６）が設けられ、前記横ピン（３７）を中心として側部型枠（２６）を回動して脱型した時には、前記ストッパ部（３６）を前記支持架台（２５ａ，２５ｂ）に係合させて、側部型枠（２６）を所定の角度回動した脱型位置に保持し、かつ側部型枠（２６）における側面板（３８）の傾斜した下面が上面側となるようにしたことを特徴とするプレキャストコンクリート製床版用型枠装置。
【請求項２】
側部型枠（２６）を支承する支持架台（２５ａ，２５ｂ）の上端部に支承板（３２）が設けられ、縦アーム（３０）の上部横部分（４０）は側部型枠（２６）におけるフレーム（３９）に固定され、前記フレーム（３９）のフランジ部（４４）は前記支承板（３２）に載置可能にされ、前記フレーム（３９）のフランジ部（４４）と前記支承板（３２）とにボルト挿通孔（３３，３９）が設けられてボルト・ナットにより分離可能にされていることを特徴とする請求項１に記載のプレキャストコンクリート製床版用型枠装置。
【発明の詳細な説明】
【技術分野】
【０００１】
本発明は、桁上に架設されるプレキャスト床版を製造するためのプレキャスト床版用の型枠装置に関する。
【背景技術】
【０００２】
従来、図１１（ａ）（ｂ）に示すように、横方向に間隔をおいて隣り合うＨ型鋼などの主桁１間あるいは３つ以上の主桁１間に渡って架設されるプレキャストコンクリート製床版（以下、プレキャスト床版ともいう）として、図１０に示すようなプレキャスト床版２が知られている。
【０００３】
前記のプレキャスト床版２の形状の特徴として、図１０に示すように、第１に、橋軸方向に隣り合うプレキャスト床版２相互を接続するために、プレキャスト床版２の端部に側方に張り出すループ筋３の継ぎ手４を有している特徴がある。
【０００４】
第２に、主桁１上に継ぎ手４相互が重合するように並列して並べられたプレキャスト床版２相互の継ぎ手４内に鉄筋を挿通配置すると共に、継ぎ手４の部分を後打ちコンクリートにより埋め込んで接合するために、継ぎ手４が突出するプレキャスト床版２外側面がテーパー状の傾斜上面５を備えた下部フランジ６を備えている特徴がある。
【０００５】
前記のような外形上の特徴のあるプレキャスト床版２を製造するための型枠装置として、（Ａ）図８（ａ）（ｂ）に示すように、側部型枠７には前記傾斜上面５に対応して傾斜下面（傾斜内側面）１２を有する側面板３８を備えている特徴があり、底部型枠７に対して、側部型枠８を着脱可能に取付けて、側部型枠８を脱型する場合に、ボルト・ナット（図示を省略）を取り外して、図８（ｂ）に示すように、側部型枠８を脱型し、プレキャスト床版２を型枠から外すようにする型枠装置９Ａが知られている（継ぎ手４は省略した）。
【０００６】
また、（Ｂ）図９（ａ）（ｂ）に示すように、底部型枠７にガイド部材１０を設け、かつ各側部型枠８にスライドレール１１を設けて、スライドレール１１をガイド部材１０にスライド可能に嵌合して、底部型枠７に対して、側部型枠８をスライド可能に設けて、側部型枠８を脱型する場合に、側部型枠８を横方向外側にスライドさせて、図９（ｂ）に示すように、側部型枠８を脱型し、プレキャスト床版２を型枠から外すようにする型枠装置９Ｂも知られている。
【０００７】
また、（Ｃ）側部型枠を底部型枠またはそのフレームに長孔および横軸により回動可能に設けるプレキャストコンクリート床版製作用型枠装置も知られている（例えば、特許文献１参照））。
【特許文献１】特開平１０−１４６８２０号公報
【発明の開示】
【発明が解決しようとする課題】
【０００８】
前記（Ａ）（Ｂ）のいずれの場合にも、側部型枠８を横方向等に移動して、作業員の体勢を下向きに屈み頭を上向きにする無理な姿勢でテーパー状の傾斜下面１２を清掃した後、剥離材等を塗布することになり、作業性が悪いという問題がる。この点の問題点を改善できる前記（Ｃ）の場合は、側部型枠を回動して脱型する場合に、型枠装置自体に所定の脱型位置に保持する機能を備えていないので、側部型枠を所定の脱型位置に保持するには、型枠装置とは別個の側部型枠保持装置を必要とし、これを配置して製造するため、製造作業が煩雑になり、製造時間が長くなる問題がある。このようなプレキャストコンクリート製床版は、製造するためのサイクルタイムを如何に短い時間するかが、製造コストを低く抑える点で効果的である。
【０００９】
本発明は、前記（Ａ）（Ｂ）および前記（Ｃ）側部型枠保持装置を必要とする問題点を有利に解決することができ、側部型枠の脱型時にこれを所定の位置に回動して保持することができ、作業員に無理な体勢を強いることなく、型枠内面の清掃および剥離材の塗布作業を容易に行なうことができ、製造作業が容易で製造時間を短くすることができ、製造コストを低くすることができるプレキャストコンクリート製床版製造用の型枠装置を提供することを目的とする。
【課題を解決するための手段】
【００１０】
前記の課題を有利に解決するために、第１発明のプレキャストコンクリート製床版用型枠装置においては、間隔をおいて多数の継ぎ手鉄筋挿通孔を有すると共に傾斜した下面（１２）を有する側面板（３８）を備えた側部型枠（２６）を回動可能に構成したプレキャストコンクリート床版用型枠装置において、前記側部型枠（２６）における側面板支承フレーム（３９）に、これに一体に縦アーム（３０）の上部を取付け、前記縦アーム（３０）の下部を支持架台（２５ａ，２５ｂ）に設けられたブラケット（２９）に横ピン（３７）により回動可能に軸支し、かつ前記縦アーム（３０）における下端部には、前記横ピン（３７）から離れる方向に延長されたストッパ部（３６）が設けられ、前記横ピン（３７）を中心として側部型枠（２６）を回動して脱型した時には、前記ストッパ部（３６）を前記支持架台（２５ａ，２５ｂ）に係合させて、側部型枠２６を所定の角度回動した脱型位置に保持し、かつ側部型枠（２６）における側面板（３８）の傾斜した下面が上面側となるようにしたことを特徴とする。
【００１１】
また、第２発明では、第１発明のプレキャストコンクリート製床版用型枠装置において、側部型枠２６を支承する支持架台（２５ａ，２５ｂ）の上端部に支承板（３２）が設けられ、縦アーム（３０）の上部横部分（４０）は側部型枠（２６）におけるフレーム（３９）に固定され、前記フレーム（３９）のフランジ部（４４）は前記支承板（３２）に載置可能にされ、前記フレーム（３９）のフランジ部（４４）と前記支承板（３２）とにボルト挿通孔（３３，３９）が設けられてボルト・ナットにより分離可能にされていることを特徴とする。
【発明の効果】
【００１２】
第１発明によると、側部型枠（２６）を回動して脱型した時に、縦アーム（３０）の下端部にストッパ部を備えているので、これを支持架台（２５）に係合させて、側部型枠（２６）の側面板（３８）の内面側が傾斜した下向き下面あるいは縦向き面から傾斜した上向き上面あるいは横向き面の上面となるように回動退避した状態を保持させることができるので、横向きの上面となった側面板の清掃およびこれに剥離材を塗布する場合に、作業員に無理な作業姿勢を強いることなく、安定した姿勢で容易に効率よく、清掃および剥離材の塗布作業をすることができ、その上、プレキャストコンクリート製床版の製造サイクルを短くすることがきるので、プレキャストコンクリート製床版の製造コストを低減させることができる。
第２発明によると、側部型枠（２６）を支承板（３２）に安定した状態で載置させることができ、また側部型枠（２６）を、前記横ピン（３７）およびボルト・ナットにより確実に結合一体化させることができるので、寸法精度のよいプレキャストコンクリート製床版（２）を製造することができる。
【発明を実施するための最良の形態】
【００１３】
次に、本発明を図示の実施形態に基づいて詳細に説明する。
【００１４】
図１〜図７は、本発明の一実施形態を示すものであって、特に図２を参照して説明すると、前後方向に延長するＨ型鋼からなる縦枠材１３を左右方向に間隔をおいて複数（図示の場合は、各端部と中央部の３本）平行に配置すると共に、これらの間においてこれらに交差するように左右方向に延長するＨ形鋼からなる横枠材１４が前後方向に間隔をおいて多数配置され、前後方向の前記縦枠材１３と左右方向の前記横枠材１４とがこれらの交差部で溶接等により一体化されて、平面矩形状等の底部フレーム１５が構成され、その底部フレーム１５の上部に水平な上面板１６が設けられて底部型枠７が構成されている。
【００１５】
前記底部フレーム１５の下部は、後記の伸縮式脚２３から離れた位置において前後方向に間隔をおいて平行に配置された左右方向に延長する下部横枠材５５に載置されて溶接にて固定し、フレームを構成している。前記下部横枠材５５の下部は、後記の伸縮式脚２３から離れた位置において前後方向に間隔をおいて配置された下部縦枠材５６に載置されて固定されていない。前記下部縦枠材５６はコンクリート製等の支持部５７に載置されて図示省略のアンカーボルト等により固定されている。
【００１６】
前記各横枠材１４の下部における左右方向の端部および各端部から中央側に離れた位置には、それぞれ下向き開口のレールガイド１７が設けられ、左右方向の右側の各レールガイド１７は、その下側に配置される左右方向一方（右側）のスライドレール１１に嵌合載置されている。また、左右方向の左側の各レールガイド１７は、その下側に配置される他方（左側）のスライドレール１１に嵌合載置されている。
【００１７】
左右方向に延長するように配置された一方（右）のＨ形鋼からなる支持ビーム１９ａの外端部には、上向きにＨ形鋼からなる縦部材２０が溶接等により固定されて、逆Ｌ型のフレーム２１ａが構成され、前記支持ビーム１９ａの先端部には、縦のストッパプレート２２ａが設けられ、前記逆Ｌ型のフレーム２１ａの外端部下部には、ねじ式ジャッキを備えた伸縮式脚２３における筒状部２４の上端部フランジがボルトにより固定されて、一方の支持架台２５ａが構成されている。
【００１８】
前記一方（右）の支持ビーム１９ａに直列に対称位置に配置され、左右方向に延長するように配置された他方（左）のＨ形鋼からなる支持ビーム１９ｂの外端部には、上向きにＨ形鋼からなる縦部材２０が溶接等により固定されて、Ｌ型のフレーム２１ｂが構成され、前記支持ビーム１９ｂの先端部には、縦のストッパプレート２２ｂが設けられ、前記Ｌ型のフレーム２１ｂの外端部下部には、ねじ式ジャッキを備えた伸縮式脚２３における筒状部２４の上端部フランジがボルトにより固定されて、他方の支持架台２５ｂが構成されている。
【００１９】
前記一方（右）の支持架台２５ａおよび他方（左）の支持架台２５ｂにおける各支持ビーム１９ａ，１９ｂの上部には、左右方向に延長するように底部フレーム１５を支持するためのスライドレール１１ａ，１１ｂを固定して設けており、前記各レール１１ａ，１１ｂの頭部膨出部に各横枠材１４におけるレールガイド１７が嵌合されて、スライドレール１１ａ，１１ｂを備えた支持架台２５ａ，２５ｂが横方向に互いに接近または離反可能にされ、底部型枠７上に予め組み立てられた床版鉄筋組立体（図示を省略）を配置する時に周囲の側部型枠（詳細は後記する）２６あるいは側部型枠２６に付属するフレーム等が邪魔にならず、床版鉄筋組立体を容易に搬送配置可能にされ、および床版鉄筋組立体の配置後に側部型枠２６を接近させることができるようにされている。
【００２０】
また、各支持架台２５ａ，２５ｂにおける外端部の外側には、外側に縦向きに張り出す間隔をおいた一対の平行な縦部分２７およびこれらの縦部分２７の基端側を溶接により一体に固定した取付け用縦フランジ２８を有する鋼板製のブラケット２９における前記取付け用縦フランジ２８が、前記支持ビーム１９ａ，１９ｂおよびその上部の縦部材２０の外側面にボルト・ナットにより、着脱可能に取付けられている。
【００２１】
前記の各ブラケット２９における一対の平行な縦部分２７には、底部型枠７における上面板１６よりも下方の位置に、前後方向のピン挿通用横孔が設けられ、側部型枠２６に一体に固定された縦アーム３０の下部が前記縦部分２７の間に配置されて、前記各縦部分２７と縦アーム３０の前後方向のピン挿通用横孔に渡って横ピン３７が挿通配置されて、側部型枠２６は回動可能にされている。
【００２２】
前記一方の支持架台２５ａおよびこれに対称位置の他方の支持架台２５ｂにより左右一対の支持架台ユニット２５が構成され、前記左右一対の支持架台ユニット２５は、前後方向に間隔をおいて平行に多数配置されて、上下方向のレベル調整可能な下部支持架台３１を構成している。
【００２３】
一方および他方の各支持架台２５ａ，２５ｂの上端部には、底部型枠７の上面板１６よりも下方レベルとされた水平で平坦な支承板３２が設けられ、その支承板３２には、前後方向に間隔をおいて複数の縦向きのボルト挿通用透孔３３が設けられ、前記支承板３２の下面には、前記ボルト挿通用透孔３３と同心状にナット３４が配置または溶接等により固定されている。
【００２４】
前記取付け用縦フランジ２８に直角に配置されている前記縦アーム３０の下端部には、前記縦フランジ２８に近接する円弧状部３５と、その円弧状部３５に接続し、前記縦フランジ２８に直角に外側に離反するように水平に伸びるストッパ部３６を備えており、側部型枠２６を左右方向外側に脱型するように９０°回動した時に、縦アーム３０のストッパ部３６の下面が縦向きとなって前記取付け用縦フランジ２８の外面に係合して、側部型枠２６がほぼ９０°外側に回動した状態で、側部型枠２６の横ピン３７を中心とした自重によるモーメントにより、横ピン３７を中心とした側部型枠２６の外側のモーメントが大きくなることにより保持されるようにされている。
【００２５】
側部型枠２６は、前後方向に延長する内側の側面板３８と、その外側に一体に固定された側面板支承フレーム３９と、前記側面板支承フレーム３９に前記縦アーム３０における水平な横部分４０を固定して備えている。
【００２６】
さらに前記側部型枠２６の構成について説明すると、内側の側面板３８は、上部縦面板部分３８ａとこれに接続し、外側下方に傾斜する傾斜面板部分３８ｂと、前記傾斜面板部分３８ｂから下方に下がる下部縦面板部分３８ｃとを備えており、前記上部縦面板部分３８ａの中間部から傾斜面版部分３８ｂの中間部にかけて上下方向に連続した縦スリット４１からなる継ぎ手鉄筋挿通孔を備えている。
【００２７】
前記縦スリット４１は前後方向に間隔をおいて平行に多数設けられており、前記各縦スリット４１により、予め床版鉄筋組立体を底部型枠７の上面板１６の上に配置した時に、前記側部型枠２６を床版を製造すべき所定の位置に回動した場合に、前記床版鉄筋組立体における各ループ筋３の外端継ぎ手４を側部型枠２６における側面板３８縦スリット４１を通してその外側に配置できるように構成されている。
【００２８】
前記のように、ループ筋３の端部継ぎ手４を側面板３８の外側に配置することにより、プレキャストコンクリート製床版２を製造したときに、図１０に示すような継ぎ手４を備えたプレキャストコンクリート製床版２を製造することができる。
【００２９】
なお、前記縦スリット４１に挿通するようにループ筋３の継ぎ手４を配置したときに、前記縦スリット４１の中間部は、継ぎ手４の上下の鉄筋間になって、開放された状態になるので、前記の開放された縦スリット４１の中間部は、適宜前記縦スリット４１の中間部の形状にあったコンクリート漏洩防止板（図示を省略した）が設けられる。
【００３０】
さらに前記側部型枠２６の構成について説明すると、下部縦面板部分３８ｃの下端部外側には、Ｈ形鋼からなる回動フレーム本体４２の上下のフランジ４３，４４の端面が当接して前後方向に延長するように配置されて溶接により固定され、前記回動フレーム本体４２の外側におけるフランジ４３，４４およびウエブ４５に、前記縦アーム３０における横部分４０が溶接により固定され、また前記フランジ４３に前後方向に間隔をおいて、上端部に牽引または回動用透孔４６を有する鋼板製縦板４７が前記各縦アーム３０と同じ垂直面上に配置されて、前記フランジ４３に溶接により固定されている。
【００３１】
図４に示すように、前記Ｈ形鋼からなる回動フレーム本体４２の下部には、前記下部支持架台３１から前後方向に離れた位置において下向きにブラケット５８が設けられ、そのブラケット５８には前記縦枠材１３のウエブに設けられたナットに締結するための締結ボルト５９が設けられ、また、前記ブラケット５８には前記ストッパボルト６０が設けられ、前記ストッパボルト６０の先端を前記縦枠材１３の側面に当接させることにより、前記側部型枠を所定の打設位置に保持するようにされている。
【００３２】
また、図４に示すように、各側部型枠２６の上部にボルト挿通用孔を備えた支承部６１が設けられていると共に、前記支承部６１に渡って着脱自在な引き寄せボルト６２およびこれにねじ込まれたナット６３が設けられて、左右の各側部型枠２６の上部が所定の間隔を保持するようにされている。
【００３３】
前記のように、側部型枠２６相互は引き寄せボルト６２により着脱可能に連結されて所定の間隔が保持されるようにされ、また各側部型枠下部の回動用フレーム本体４２が締結ボルト５９により縦枠材１３に着脱可能に連結され、回動用フレーム本体４２が支持架台２５ａ（２５ｂ）にボルト５０により着脱可能に連結されているので、前記各側部型枠２６を脱型する場合には、前記締結ボルト５９および引き寄せボルト６２を取り外した状態で伸縮式脚２３を短縮して支持部５７から浮かし、この状態で下部支持架台３１および側部型枠２６を側方に引き出し、次いで前記伸縮式脚２３を伸張して支持部５７に着座させて下部支持架台３１を支持し、この状態で前記ボルト５０を取り外して、前記側部型枠２６を横ピン３７を中心として回動して傾斜下面１２を上面側に回動することができる。また、前記と逆の工程により、各側部型枠２６を所定に位置に配置することができる。
【００３４】
前記のように側部型枠２６相互を底部型枠７に対して接近または離反移動させることができると共に、側部型枠２６を所定のコンクリート打設位置または、脱型位置に保持させることができるようにされている。
【００３５】
なお、図５に示すように、側部型枠２６の上部には、雌ねじ部材が設けられ、その雌ねじ部材にねじ込まれた押しボルト６４が設けられて、前記押しボルト６４を硬化したコンクリート床版に押し付けることにより、側部型枠２６の脱型を容易にしている。
【００３６】
前記各縦板４７の上部外側および中間部外側の切り欠き部並びに下部中間部には、これらに渡って前後方向に延長する鋼製棒状部材４８が配置されて溶接により固定されて、前記回動フレーム本体４２を含めて側面板支承フレーム３９を構成し、側面板支承フレーム３９と側面板３８と縦アーム３０等により、所定の脱型位置に回動可能な側部型枠２６を構成している。前記中間部の鋼製棒状部材４８にも、前記回動用透孔４６と前後方向の同じ位置に設けた牽引または回動用透孔４６を備えている。側部型枠２６を回動して脱型する場合には、適宜牽引装置（図示を省略）が使用される。
【００３７】
前記回動フレーム本体４２の下部フランジ４４には、縦アーム３０の両側において前後方向に間隔をおいて左右方向に長孔とされた一対のボルト挿通用透孔４９が、前記支持架台２５ａ（２５ｂ）上部の支承板３２に設けられたボルト挿通用透孔３３に合致するように設けられ、下部フランジ４４のボルト挿通用透孔４９に挿通されると共に前記支承板３２下面のナット３４にねじ込まれる縦向きのボルト５０により、前記側部型枠２６は、所定の床版製造姿勢に保持されている。前記縦向きのボルト５０の軸方向応力と底板上に床版用コンクリート５３を打設した時の側部型枠２６に作用する側圧とは、方向が９０°異なっているため、ボルト５０に作用する軸方向の応力が小さい。また、横ピン３７のレベルは上面板１６よりも下方レベルであるので、側面板３８が打設される床版コンクリート５４に食い込むことはない。
【００３８】
前記のように、所定の床版製造姿勢に保持された状態で、左右両側の各側部型枠２６上部の牽引または回動用透孔４６に牽引装置（図示を省略）の一端側を係止して、左右方向中央よりに牽引すると、左右に対抗する各側部型枠２６は、レールガイド部材１７に沿って移動されるスライドレール１１ａ，１１ｂと共に接近するように移動され、側部型枠２６の側面板３８下部が底部型枠７における上面板１６の左右方向の端部に近接配置可能にされている（図２の状態）。前記のように側部型枠２６相互を底部型枠７に対して接近または離反移動させるために、左右方向一方の各支持架台２５ａ，２５ｂの各伸縮式脚２３の座板は支持部５７に載置固定されている。
【００３９】
次に、前記の本発明の型枠装置を使用して、プレキャストコンクリート製床版を製造する場合について説明する。
左右の各側部型枠２６を脱型して外側に回動退避した位置において、側部型枠２６の側面板３８の内側が、図１に示すように、上側で水平または傾斜した上面となるので、その清掃および剥離材の塗布を行い、また底部型枠７の上面板１６の清掃を行い、剥離材を塗布する。このような清掃および剥離材の塗布作業は、側部型枠２６における側面板３８が上面となっているので、作業員に無理な姿勢を強いることなく、安定した姿勢で効率よく清掃作業および剥離材の塗布作業を効率よく短時間で終了させることができる。
【００４０】
前記のように側部型枠２６の側面板３８の清掃および塗布作業を終了した後、継ぎ手４を備えたループ筋３を含む床版鉄筋組立体を底部型枠７上に配置し、前記側部型枠２６を回動して、床版鉄筋組立体におけるループ筋３の端部継ぎ手４を縦スリット４１に挿入可能にし、また、図示省略の牽引装置により、左右の各支持架台２５ａ、２５ｂを接近させるように移動させて、床版鉄筋組立体におけるループ筋３の端部継ぎ手４を縦スリット４１に挿入し、ストッパプレート２２ａ，２２ｂ相互を当接させ、各支持架台２５ａ，２５ｂを所定の位置に保持し、かつ回動フレーム本体４２における下部フランジ４４を支承板３２に載置して、ボルト５０により側部型枠２６を支持架台２５ａ、２５ｂに固定する。
【００４１】
前記の支持架台２５ａ、２５ｂを所定の位置に保持する手段としては、底部型枠７における底部フレーム１５おける支持ビーム１９ａ，１９ｂ先端のストッパプレート２２ａ，２２ｂ相互を当接させて内側に移動するのを拘束し、レールガイド部材１７をスライドレール１１ａ，１１ｂ上面に設けられたレールストッパ５２に当接して、スライドレール１１，１１ｂおよび底部フレーム１５が左右方向内側に移動するのを拘束し、また側部型枠２６上部の牽引または回動用透孔４６に渡って、前記の牽引装置または連結部材（図示を省略）を配置して連結することにより、外側に離反するのを防止している。
【００４２】
前記のように側部型枠２６を配置すると共に、前後方向の前部型枠および後部型枠（図示を省略）を配置し、前部型枠および後部型枠のスリット等に床版鉄筋組立て体における前後方向のＰＣ鋼材（図示を省略）を挿通配置し、各ＰＣ鋼材を緊張した状態で、床版コンクリート５３を打設し、養生硬化後、前後の型枠外のＰＣ鋼材を切断し、各縦ボルト５０を取り外して、各側部型枠２６を牽引装置により回動して、脱型し、支持架台２５ａ，２５ｂを互いに離反するようにスライド移動し、前部型枠および後部型枠５４（図６右参照）を脱型し、予めプレキャストコンクリート製床版２に埋め込み固定したインサートに吊り金具を連結し、天井走行クレーン等によりプレキャストコンクリート製床版２を底部型枠９の上面板１６から外し、ＰＣ鋼材の端部を仕上げ切断を含むプレキャストコンクリート製床版２を仕上げる。
【００４３】
なお、図示を省略するが、前記床版鉄筋組立体の搬送配置は、適宜天井走行クレーン等により搬送配置される。
【図面の簡単な説明】
【００４４】
【図１】本発明の一実施形態の型枠装置の一部を拡大して示すものであって、側部型枠を外側に回動した状態を示す拡大縦断側面図である。
【図２】本発明の一実施形態の型枠装置を示すものであって、側部型枠を内側に回動して所定の床版位置に固定した状態を示す拡大縦断側面図である。
【図３】図２の一部を拡大して示す縦断側面図である。
【図４】図２と異なる前後方向に位置において底部フレームの支持状態を示す縦断側面図である。
【図５】側部型枠の上部に配置された脱型用の押しボルト付近の構造を示す縦断側面図である。
【図６】図３の正面図である。
【図７】架台上の支持レールと、底部型枠を支承する底部フレーム１５との関係を示す拡大縦断正面図である。
【図８】従来の型枠装置の第１例を使用して、プレキャスト床版を製造している状態を示すものであって、（ａ）は側部型枠を脱型する直前の状態を示す縦断正面図、（ｂ）は側部型枠を脱型した状態を示す縦断正面図である。
【図９】従来の型枠装置の第２例を使用して、プレキャスト床版を製造している状態を示すものであって、（ａ）は側部型枠を脱型する直前の状態を示す縦断正面図、（ｂ）は側部型枠を脱型した状態を示す縦断正面図である。
【図１０】（ａ）はプレキャスト床版を拡大して示す平面図、（ｂ）は（ａ）のＡ−Ａ線断面図である。
【図１１】（ａ）は横方向に間隔をおいて隣り合うＨ型鋼からなる主桁間にプレキャスト床版を架設している状態を示す縦断正面図、（ｂ）はその平面図で、両側のプレキャスト床版を仮想線で示している。
【符号の説明】
【００４５】
１      主桁
２      プレキャストコンクリート製床版
３      ループ筋
４      継ぎ手
５      傾斜上面
６      下部フランジ
７      底部型枠
８      側部型枠
９Ａ    型枠装置
９Ｂ    型枠装置
１０    ガイド部材
１１    スライドレール
１２    傾斜下面
１３    縦枠材
１４    横枠材
１５    底部フレーム
１６    上面板
１７    レールガイド
１９ａ  支持ビーム
１９ｂ  支持ビーム
２０    縦部材
２１ａ  逆Ｌ型のフレーム
２１ｂ  Ｌ型のフレーム
２２ａ  ストッパプレート
２２ｂ  ストッパプレート
２３    伸縮式脚
２４    筒状部
２５    支持架台ユニット
２５ａ  支持架台
２５ｂ  支持架台
２６    側部型枠
２７    縦部分
２８    取付け用の縦フランジ
２９    ブラケット
３０    縦アーム
３１    下部支持架台
３２    支承板
３３    ボルト挿通用透孔
３４    ナット
３５    円弧状部
３６    ストッパ部
３７    横ピン
３８    側面板
３８ａ  上部縦面板部分
３８ｂ  傾斜面板部分
３８ｃ  下部縦面板部分
３９    側面板支承フレーム
４０    横部分
４１    縦スリット（継ぎ手鉄筋挿通孔）
４２    回動用フレーム本体
４３    上のフランジ
４４    下のフランジ
４５    ウエブ
４６    牽引または回動用透孔
４７    鋼板製縦板
４８    鋼製棒状部材
４９    ボルト挿通用透孔
５０    ボルト
５２    レールストッパ
５３    床版用コンクリート
５４    後部型枠（または前部型枠）
５５    下部横枠材
５６    下部縦枠材
５７    支持部
５８    ブラケット
５９    締結ボルト
６０    ストッパボルト
６１    支承部
６２    引き寄せボルト
６３    ナット
６４    押しボルト
【図１】
2006240252.tif 000003
【図２】
2006240252.tif 000004
【図３】
2006240252.tif 000005
【図４】
2006240252.tif 000006
【図５】
2006240252.tif 000007
【図６】
2006240252.tif 000008
【図７】
2006240252.tif 000009
【図８】
2006240252.tif 000010
【図９】
2006240252.tif 000011
【図１０】
2006240252.tif 000012
【図１１】
2006240252.tif 000013